(57)【要約】 【課題】  差込部材および受容部材の適正な結合を簡単な態様で制御できる継手装置。【解決手段】  半径方向に突出する戻り止めリングが形成された差込部材（１９）が差込み可能に構成された受容部材（１）と、  前記差込部材（１９）の連結位置までの差込み後、当該差込みがない限り半径方向内方への移動が阻止されている突出状態にある組立前位置から、前記戻り止めリングの後方からの係合による前記差込部材（１９）の固定のための、半径方向外方への移動が阻止されている嵌込状態にある確保位置に移動可能な確保部材（７）と  を有する継手装置において、側部脚（１３、１４）が形成されたＣ字状基体を有する制御部材（１２）を有し、  該制御部材（１２）は、前記確保部材（７）の前記組立前位置においては前記受容部材（１）の部分（１６）を包囲すると共に、該制御部材（１２）は、当接位置においてかつ前記確保部材（７）の前記組立前位置においては前記確保部材（７）に当接し、かつ前記確保部材（７）の前記確保位置においては該確保部材（７）から係合解除となる当接部分（１８）を有すること、及び  前記制御部材（１２）は、前記確保部材（７）の前記確保位置において、前記当接位置から、当該制御部材が前記受容部材（１）から取外し可能な取外位置に軸線方向に摺動可能であることを特徴とする【選択図】  図１
2009516138.tif 000002
【特許請求の範囲】
【請求項１】
半径方向に突出する戻り止めリングが形成された差込部材（１９）が差込み可能に構成された受容部材（１）と、
前記差込部材（１９）の連結位置までの差込み後、当該差込みがない限り半径方向内方への移動が阻止されている突出状態にある前組立位置から、前記戻り止めリングの後方からの係合による前記差込部材（１９）の固定のための、半径方向外方への移動が阻止されている嵌込状態にある確保位置に移動可能な確保部材（７）と
を有する継手装置において、
側部脚（１３、１４）が形成されたＣ字状基体を有する制御部材（１２）を有し、
該制御部材（１２）は、前記確保部材（７）の前記組立前位置においては前記受容部材（１）の部分（１６）を包囲すると共に、該制御部材（１２）は、当接位置においてかつ前記確保部材（７）の前記組立前位置においては前記確保部材（７）に当接し、かつ前記確保部材（７）の前記確保位置においては該確保部材（７）から係合解除となる当接部分（１８）を有すること、及び
前記制御部材（１２）は、前記確保部材（７）の前記確保位置において、前記当接位置から、当該制御部材が前記受容部材（１）から取外し可能な取外位置に軸線方向に摺動可能であること
を特徴とする継手装置。
【請求項２】
前記当接部分（１８）は、前記当接位置において、前記差込部材（１９）の差込方向に関し前記確保部材（７）の前に位置するよう配置される結合ウェブによって形成されていること
を特徴とする請求項１の継手装置。
【請求項３】
前記受容部材（１）は、前記差込部材（１９）の差込方向に関し前方に位置するヘッド部分（１６）と、前記差込部材（１９）の差込方向に関し該ヘッド部分（１６）の後方に位置し該ヘッド部分（１６）の直径に対しより小さい直径を有する中央部分（２０）とを有すること、及び
前記制御部材（１２）は、前記当接位置において、前記ヘッド部分（１６）に配置されること
を特徴とする請求項２の継手装置。
【請求項４】
前記制御部材（１２）は、前記側部脚に対し半径方向内方に突出する背壁（２２）を有し、該背壁（２２）は、前記制御部材（１２）の前記当接位置において、前記ヘッド部分（１６）と前記中央部分（２０）との間に形成された段差壁部（２１）に当接すること
を特徴とする請求項３の継手装置。
【請求項５】
前記ヘッド部分（１６）は、軸線方向に延在する係止切欠部（２４）を有すること、及び
前記制御部材（１２）は、当該制御部材（１２）の前記当接位置において、前記係止切欠部（２４）に嵌合する係止突起（２５）を有すること
を特徴とする請求項４の継手装置。
【発明の詳細な説明】
【技術分野】
【０００１】
本発明は、請求項１の上位概念部（前置部）に記載の継手装置に関する。
【背景技術】
【０００２】
この種の継手装置は、ドイツ特許公報ＤＥ１０２００４０６２８８７Ｂ３から既知である。この既知の継手装置は、半径方向に突出延在する戻り止めリングが形成された差込部材を有する。更に、差込部材が連結位置まで差込まれた後、当該差込がない限り半径方向内方への移動が阻止された突出状態にある組立前位置から半径方向外方への移動が阻止される嵌合状態にある確保位置に移動可能な確保部材を有する。確保部材は、ロック突起（複数）との協働により、移動阻止された組立前位置および（半径方向外方へ）移動阻止された確保位置を取ることを可能にする軸線方向に運動可能な嵌合ロックアーム（複数）を有する。かくして、組立力の比較的簡単な構造的制御、大きな耐摩耗性、及びとりわけ狭小な空間条件において受容部材と差込部材との間の結合を解除する際の簡単かつ確実動作の操作性が達成されるとしている。
【特許文献１】ＤＥ１０２００４０６２８８７Ｂ３（ＷＯ２００６／０７４７１９、対応特表２００８−５１２６０７）
【発明の開示】
【発明が解決しようとする課題】
【０００３】
本発明の課題は、差込部材と受容部材とを適正に結合するために確保部材を突出状態にある組立前位置から嵌込状態にある確保位置に適正に移行することを簡単な態様（構造及び方法）で制御できる冒頭に述べた種類の継手装置を提供することである。
【課題を解決するための手段】
【０００４】
上記の課題は、冒頭に述べた種類の継手装置において、本発明に基づき、請求項１の特徴部に記載の特徴によって解決される。
【０００５】
本発明の継手装置が、確保部材が嵌込状態にある確保位置に適正に位置する場合に限り軸線方向への摺動によって受容部材から取り外すことができる制御部材を備えることによって、簡単な制御（管理）が達成される。このため、例えばコンベヤないし流れ組立てラインの組立の際に受容部材と差込部材との結合を担当する作業者は、取り外された制御部材の個数を数え、制御部材の数と組み立てられた継手装置の数とを対比することによって、組み立てられた継手装置のすべてにおいて適正な流体接続（Fluidverbindung）が形成されることを確認することができる。
【発明を実施するための最良の形態】
【０００６】
本発明の更なる有利な実施形態は、従属請求項の対象である。
【０００７】
図面を参照した本発明の好ましい実施例の以下の説明から、更なる有利な実施形態及び利点が明らかになる。
【実施例】
【０００８】
図１は、本発明の継手装置の一実施例の斜視図である。図１の継手装置は、流体輸送システムの輸送管の一端（図１には示してない。）に結合可能な硬質（硬い）プラスチック材料で製造された受容部材１を有する。受容部材１には、差込側２に隣接し縦長の受容ボデー３の両側（両側部）の断面において拡大された領域に、受容ボデー３の軸線方向に対し直角に延在する嵌合ロックアーム受け（複数）４が形成されている。差込側２に向けられた（近い側の）前壁（複数）５には、係止要素として、それぞれ１つの嵌合ロック突起（図１の状態では視認できない。）が配置（形成）されている。嵌合ロック突起は、夫々対応する前壁５から軸線方向に突出し、前壁５に対向する後壁６の方向に延在する。この場合、差込側２から離隔する側を指向する各嵌合ロック突起の自由端と対応する後壁６との間に、自由空間が形成されている。
【０００９】
本発明の継手装置は、更に、同様に硬質（硬い）プラスチック材料で製造された確保部材７を有する。確保部材７は、互いに対向する２つの戻り止めアーム９が形成されたカバー部分８によって構成されている。戻り止めアーム９は、夫々、中間壁１０によって嵌合ロックアーム受け４から分離されかつ嵌合ロックアーム受け４の差込側２を指向する側に形成された戻り止めアーム受けに嵌合する。
【００１０】
更に、確保部材７は、図示の実施例では、嵌合ロックアーム受け４に嵌合しかつ使用されたプラスチック材料の性質及び／又は相応に定められた寸法間の関係に基づき軸線方向に湾曲可能な２つの嵌合ロックアーム１１を有する。有利には、嵌合ロックアーム（複数）１１は、差込側２に予付勢され、その結果、図１の状態において、少なくともそれらの自由端の領域において、差込側２に指向されたそれらの平坦面が、嵌合ロックアーム受け４の前壁５に夫々当接する。
【００１１】
図１に示した受容部材１及び確保部材７の状態、即ち、確保部材７が突出状態にある組立前位置に位置する状態において、係止機構の更なる係止要素として作用する嵌合ロックアーム１１の自由端の端面（先端面）は、それらに指向された嵌合ロック突起の壁面に当接する。従って、確保部材７は、差込側２の方向へのロックアーム１１の上記の有利な予付勢（力）によって、受容ボデー３から突出状態にあるこの組立前位置において、嵌込状態にある確保位置への摺動に対し半径方向内方への移動が阻止される。
【００１２】
各嵌合ロックアーム１１の自由端の領域には、更に、半径方向内方に開口する嵌合ロック切欠部が形成されている。これらの嵌合ロック切欠部は、対応する嵌合ロック突起の形状に相補的な形状を有する。
【００１３】
本発明の継手装置には、更に、側部脚１３、１４及び確保部材用切欠部１５を含んで構成されるＣ字状基体を有する制御部材１２が備えられる。図１の状態では、制御部材１２は、確保部材７の組立前位置において、同様に確保部材７が支持されているヘッド部分１６を包囲し、その際、確保部材７は、確保部材用切欠部１５を貫通嵌合している。制御部材１２は、上述の実施例において側部脚１３、１４の間に円弧状に延在しかつ差込側２に指向されたヘッド部分１６の終端フランジ１７に当接する結合ウェブ１８によって形成される当接部分を有する。図１の状態において、結合ウェブ１８は、確保部材７の突出状態にある組立前位置において、差込側２に指向された確保部材７の壁部に直接に当接する。
【００１４】
本発明の継手装置の図示してない変更例の場合、当接部分と確保部材７との間に所定の間隔が設けられる。
【００１５】
図２は、本発明の継手装置の上述の実施例の受容部材１及び確保部材７の斜視図であるが、図１の状態から更に進んで、受容ボデー３によって包囲形成された受容空間に差込部材１９の差込シャフトが差込まれている。差込シャフトは、密封装置を介して密封されている。差込部材１９は、更に、差込シャフトに対してより大きな直径を有する戻り止めリング［但しこれは図２〜図４においては受容部材１の内部に位置しているので視認できないが、本件と同一の出願人に係る上記特許文献１の図２の部分２２にほぼ対応する。］と、流体輸送システムに結合（接続）するための、戻り止めリングの差込シャフトに対し反対側に形成された結合シャフトを含んで構成されている。
【００１６】
図２の状態では、差込部材１９は、受容部材１との適正な結合のために、適正に連結位置に至るまで受容空間に十分に深く差込まれている。そして、この状態において初めて、図１の引出された（突出状態にある）組立前位置から図２に示した嵌込状態にある確保位置への確保部材７の移行を阻止する嵌合ロックアーム１１の自由端の先端面と嵌合ロック突起との係合が、予付勢力に抗した嵌合ロックアーム１１の軸線方向の差込側２から離隔する側への運動によって解除される。
【００１７】
嵌込状態にある確保位置は、図１に示した突出状態にある組立前位置から出発して達成されたものであるが、これは、相応の力をカバー部分８に印加することにより、嵌合ロックアーム１１の予付勢力に基づき嵌合ロック突起が嵌合ロック切欠部に嵌合し、確保部材７がこの嵌込状態にある確保位置において半径方向外方への移動が阻止されるよう固定されるに至るまで、嵌合ロックアーム１１が自由空間を貫通して移動することにより達成されたものである。嵌込状態にある確保位置では、戻り止めアーム９は、（差込部材１９に形成した）戻り止めリング（図示されていない）に後方から係合し、かくして、差込部材１９を受容部材１に固定する。この移動の際に過大の遊び（の生成）を回避するため、自由空間（複数）は、軸線方向の寸法が嵌合ロックアーム１１の厚さよりも僅かだけ大きくなるよう構成すると都合がよい。
【００１８】
これに対し、確保部材７が図１の突出状態にある組立前位置から図２〜図４の嵌込状態にある確保位置に移行されない場合、嵌合ロックアーム１１のこの場合比較的大きな予付勢力によって、差込部材１９は、差込側２の方向に（差込方向とは反対の方向に）押し出される。かくして、高い組立確実性が得られる。
【００１９】
図３は、図１及び図２の実施例の斜視図であり、この場合も確保部材は嵌込状態にある確保位置に位置している。図３から明かなとおり、上述の実施例では、カバー部分８の外面（外周面）は、終端フランジ１７と面一に配置されているため、結合ウェブ１８はこの状態では拘束が解除されており、図３に示したように、制御部材１２は、差込側２から離れるよう差込部材１７の差込方向に関しヘッド部分１６の後方に配された中央部分２０の方向に摺動できる。                                          
【００２０】
図４は、図１〜図３の実施例を示すが、制御部材１２は、中央部分２０上にまで摺動されたのち、受容ボデー３から取り外された状態にある。図４から明かなとおり、中央部分２０は、ヘッド部分１６の直径に対しより小さい直径を有し、ヘッド部分１６と中央部分２０との間に半径方向に配向された段差壁部２１が形成されている。更に、図４から分かるとおり、制御部材１２は、結合ウェブ１８に対向する側に、半径方向内方に突出する背壁２２を有する。この背壁２２は、半径方向内方を指向するその端面（先端面）が、段差壁部２１に隣接し中央部分２０のその余の領域に比べて僅かに厚くされた中央部分２０の縁部分に当接するよう構成されている。かくして、一方では制御部材１２は曲げに対して強化されており、他方では制御部材１２は当接位置において受容部材３に遊びなく保持され、他方、制御部材は、中央部分２０の領域に形成されヘッド部分１６との係合が解除される取出位置に移行した後、比較的簡単に受容部材３から取り外すことができる。
【００２１】
更に図４から分かるとおり、制御部材１２が図１の当接位置における予期せぬ回転運動によって受容部材３から取り外される可能性を回避するために、段差壁部２１に隣接するヘッド部分１６のヘッドフランジ２３に、軸線方向に延在し中央部分２０に対し開放した係止切欠部（ノッチ）２４が形成されると共に、側部脚１３、１４の内面に、係止切欠部２４に相補的に形成された係止突起２５が形成されている。
【００２２】
嵌合ロックアーム１１の自由端２６が、受容ボデー３に比し直径が拡大された受容部材１の領域から僅かに突出するよう構成されると都合がよい。かくして、嵌合ロックアーム１１のこの突出している末端部分に嵌合ロックアーム１１の予付勢力に抗して差込側２から離れる方向に軸線方向に力を印加することにより、嵌合ロック突起と嵌合ロック切欠部との間の嵌合が解除され、更に、この嵌合ロック解除力に直角に指向された力をカバー部分８の方向に印加することにより、確保部材７を嵌込状態にある確保位置から突出状態にある組立前位置に移行でき、この状態において、差込部材１９は受容部材１から再び引き抜くことができる。
【００２３】
このように、時間的に前後して別々にそれも異なる方向に力を２回印加することが要求されているため、受容部材１と差込部材１９との間の極めて確実動作性の大きい結合が生成されると同時に、不測の分離も良好に阻止される。
【図面の簡単な説明】
【００２４】
【図１】本発明の継手装置の一実施例の斜視図であり、図示の状態では、確保部材は突出状態にある組立前位置にあり、制御部材は当接位置にある。
【図２】図１の実施例の斜視図であり、図示の状態では、確保部材は嵌込状態にある確保位置にあり、差込部材は受容部材に差込まれている。
【図３】図１及びび図２の実施例の斜視図であり、図示の状態では、制御部材は図１の当接位置に対して軸線方向に摺動された位置にある。
【図４】図１〜図３の実施例の斜視図であり、図示の状態では、制御部材は取り外された状態にある。
【符号の説明】
【００２５】
１          受容部材
７          確保部材
１１        嵌合ロックアーム
１３，１４  側部脚
１６        受容部材の部分
１２        制御部材
１６        ヘッド部分
１８        当接部分（結合ウェブ）
１９        差込部材
２０        中央部分
２２        背壁
２４        係止切欠部（ノッチ）
２５        係止突起
【図１】
2009516138.tif 000003
【図２】
2009516138.tif 000004
【図３】
2009516138.tif 000005
【図４】
2009516138.tif 000006
【手続補正書】
【提出日】平成20年8月25日(2008.8.25)
【手続補正１】
【補正対象書類名】明細書
【補正対象項目名】全文
【補正方法】変更
【補正の内容】
【発明の詳細な説明】
【技術分野】
【０００１】
本発明は、請求項１の上位概念部（前置部）に記載の継手装置に関する。即ち、本発明は、継手装置に関し、詳しくは、半径方向に突出する戻り止めリングが形成された差込部材が差込み可能に構成された受容部材と、前記差込部材の連結位置までの差込み後、当該差込みがない限り半径方向内方への移動が阻止されている突出状態にある前組立位置から、前記戻り止めリングの後方からの係合による前記差込部材の固定のための、半径方向外方への移動が阻止されている嵌込状態にある確保位置に移動可能な確保部材とを有する継手装置に関する。
【背景技術】
【０００２】
この種の継手装置は、ドイツ特許公報ＤＥ１０２００４０６２８８７Ｂ３から既知である。この既知の継手装置は、半径方向に突出延在する戻り止めリングが形成された差込部材を有する。更に、差込部材が連結位置まで差込まれた後、当該差込がない限り半径方向内方への移動が阻止された突出状態にある組立前位置から半径方向外方への移動が阻止される嵌合状態にある確保位置に移動可能な確保部材を有する。確保部材は、ロック突起（複数）との協働により、移動阻止された組立前位置および（半径方向外方へ）移動阻止された確保位置を取ることを可能にする軸線方向に運動可能な嵌合ロックアーム（複数）を有する。かくして、組立力の比較的簡単な構造的制御、大きな耐摩耗性、及びとりわけ狭小な空間条件において受容部材と差込部材との間の結合を解除する際の簡単かつ確実動作の操作性が達成されるとしている。
【特許文献１】ＤＥ１０２００４０６２８８７Ｂ３（ＷＯ２００６／０７４７１９、対応特表２００８−５１２６０７）
【発明の開示】
【発明が解決しようとする課題】
【０００３】
本発明の課題は、差込部材と受容部材とを適正に結合するために確保部材を突出状態にある組立前位置から嵌込状態にある確保位置に適正に移行することを簡単な態様（構造及び方法）で制御できる冒頭に述べた種類の継手装置を提供することである。
【課題を解決するための手段】
【０００４】
上記の課題は、冒頭に述べた種類の継手装置において、本発明に基づき、請求項１の特徴部に記載の特徴によって解決される。即ち、本発明の継手装置は、側部脚が形成されたＣ字状基体を有する制御部材を有し、該制御部材は、前記確保部材の前記組立前位置においては前記受容部材の部分を包囲すると共に、該制御部材は、当接位置においてかつ前記確保部材の前記組立前位置においては前記確保部材に当接し、かつ前記確保部材の前記確保位置においては該確保部材から係合解除となる当接部分を有すること、及び前記制御部材は、前記確保部材の前記確保位置において、前記当接位置から、当該制御部材が前記受容部材（１）から取外し可能な取外位置に軸線方向に摺動可能であることを特徴とする。（形態１）
なお、特許請求の範囲の各請求項に付記した図面参照符号は専ら理解を助けるためであり、図示の態様に限定することを意図しない。
【０００５】
本発明の継手装置が、確保部材が嵌込状態にある確保位置に適正に位置する場合に限り軸線方向への摺動によって受容部材から取り外すことができる制御部材を備えることによって、簡単な制御（管理）が達成される。このため、例えばコンベヤないし流れ組立てラインの組立の際に受容部材と差込部材との結合を担当する作業者は、取り外された制御部材の個数を数え、制御部材の数と組み立てられた継手装置の数とを対比することによって、組み立てられた継手装置のすべてにおいて適正な流体接続（Fluidverbindung）が形成されることを確認することができる。
【発明を実施するための最良の形態】
【０００６】
本発明の更なる有利な実施形態は、従属請求項の対象である。即ち、本発明において、以下の展開形態が可能である。
前記当接部分は、前記当接位置において、前記差込部材の差込方向に関し前記確保部材の前に位置するよう配置される結合ウェブによって形成されていることが好ましい。（形態２）
前記受容部材は、前記差込部材の差込方向に関し前方に位置するヘッド部分と、前記差込部材の差込方向に関し該ヘッド部分の後方に位置し該ヘッド部分の直径に対しより小さい直径を有する中央部分とを有すること、及び前記制御部材は、前記当接位置において、前記ヘッド部分に配置されることが好ましい。（形態３）
前記制御部材は、前記側部脚に対し半径方向内方に突出する背壁を有し、該背壁は、前記制御部材の前記当接位置において、前記ヘッド部分と前記中央部分との間に形成された段差壁部に当接することが好ましい。（形態４）
前記ヘッド部分は、軸線方向に延在する係止切欠部を有すること、及び前記制御部材は、当該制御部材の前記当接位置において、前記係止切欠部に嵌合する係止突起を有することが好ましい。（形態５）
【０００７】
図面を参照した本発明の好ましい実施例の以下の説明から、更なる有利な実施形態及び利点が明らかになる。
【実施例】
【０００８】
図１は、本発明の継手装置の一実施例の斜視図である。図１の継手装置は、流体輸送システムの輸送管の一端（図１には示してない。）に結合可能な硬質（硬い）プラスチック材料で製造された受容部材１を有する。受容部材１には、差込側２に隣接し縦長の受容ボデー３の両側（両側部）の断面において拡大された領域に、受容ボデー３の軸線方向に対し直角に延在する嵌合ロックアーム受け（複数）４が形成されている。差込側２に向けられた（近い側の）前壁（複数）５には、係止要素として、それぞれ１つの嵌合ロック突起（図１の状態では視認できない。）が配置（形成）されている。嵌合ロック突起は、夫々対応する前壁５から軸線方向に突出し、前壁５に対向する後壁６の方向に延在する。この場合、差込側２から離隔する側を指向する各嵌合ロック突起の自由端と対応する後壁６との間に、自由空間が形成されている。
【０００９】
本発明の継手装置は、更に、同様に硬質（硬い）プラスチック材料で製造された確保部材７を有する。確保部材７は、互いに対向する２つの戻り止めアーム９が形成されたカバー部分８によって構成されている。戻り止めアーム９は、夫々、中間壁１０によって嵌合ロックアーム受け４から分離されかつ嵌合ロックアーム受け４の差込側２を指向する側に形成された戻り止めアーム受けに嵌合する。
【００１０】
更に、確保部材７は、図示の実施例では、嵌合ロックアーム受け４に嵌合しかつ使用されたプラスチック材料の性質及び／又は相応に定められた寸法間の関係に基づき軸線方向に湾曲可能な２つの嵌合ロックアーム１１を有する。有利には、嵌合ロックアーム（複数）１１は、差込側２に予付勢され、その結果、図１の状態において、少なくともそれらの自由端の領域において、差込側２に指向されたそれらの平坦面が、嵌合ロックアーム受け４の前壁５に夫々当接する。
【００１１】
図１に示した受容部材１及び確保部材７の状態、即ち、確保部材７が突出状態にある組立前位置に位置する状態において、係止機構の更なる係止要素として作用する嵌合ロックアーム１１の自由端の端面（先端面）は、それらに指向された嵌合ロック突起の壁面に当接する。従って、確保部材７は、差込側２の方向へのロックアーム１１の上記の有利な予付勢（力）によって、受容ボデー３から突出状態にあるこの組立前位置において、嵌込状態にある確保位置への摺動に対し半径方向内方への移動が阻止される。
【００１２】
各嵌合ロックアーム１１の自由端の領域には、更に、半径方向内方に開口する嵌合ロック切欠部が形成されている。これらの嵌合ロック切欠部は、対応する嵌合ロック突起の形状に相補的な形状を有する。
【００１３】
本発明の継手装置には、更に、側部脚１３、１４及び確保部材用切欠部１５を含んで構成されるＣ字状基体を有する制御部材１２が備えられる。図１の状態では、制御部材１２は、確保部材７の組立前位置において、同様に確保部材７が支持されているヘッド部分１６を包囲し、その際、確保部材７は、確保部材用切欠部１５を貫通嵌合している。制御部材１２は、上述の実施例において側部脚１３、１４の間に円弧状に延在しかつ差込側２に指向されたヘッド部分１６の終端フランジ１７に当接する結合ウェブ１８によって形成される当接部分を有する。図１の状態において、結合ウェブ１８は、確保部材７の突出状態にある組立前位置において、差込側２に指向された確保部材７の壁部に直接に当接する。
【００１４】
本発明の継手装置の図示してない変更例の場合、当接部分と確保部材７との間に所定の間隔が設けられる。
【００１５】
図２は、本発明の継手装置の上述の実施例の受容部材１及び確保部材７の斜視図であるが、図１の状態から更に進んで、受容ボデー３によって包囲形成された受容空間に差込部材１９の差込シャフトが差込まれている。差込シャフトは、密封装置を介して密封されている。差込部材１９は、更に、差込シャフトに対してより大きな直径を有する戻り止めリング［但しこれは図２〜図４においては受容部材１の内部に位置しているので視認できないが、本件と同一の出願人に係る上記特許文献１の図２の部分２２にほぼ対応する。］と、流体輸送システムに結合（接続）するための、戻り止めリングの差込シャフトに対し反対側に形成された結合シャフトを含んで構成されている。
【００１６】
図２の状態では、差込部材１９は、受容部材１との適正な結合のために、適正に連結位置に至るまで受容空間に十分に深く差込まれている。そして、この状態において初めて、図１の引出された（突出状態にある）組立前位置から図２に示した嵌込状態にある確保位置への確保部材７の移行を阻止する嵌合ロックアーム１１の自由端の先端面と嵌合ロック突起との係合が、予付勢力に抗した嵌合ロックアーム１１の軸線方向の差込側２から離隔する側への運動によって解除される。
【００１７】
嵌込状態にある確保位置は、図１に示した突出状態にある組立前位置から出発して達成されたものであるが、これは、相応の力をカバー部分８に印加することにより、嵌合ロックアーム１１の予付勢力に基づき嵌合ロック突起が嵌合ロック切欠部に嵌合し、確保部材７がこの嵌込状態にある確保位置において半径方向外方への移動が阻止されるよう固定されるに至るまで、嵌合ロックアーム１１が自由空間を貫通して移動することにより達成されたものである。嵌込状態にある確保位置では、戻り止めアーム９は、（差込部材１９に形成した）戻り止めリング（図示されていない）に後方から係合し、かくして、差込部材１９を受容部材１に固定する。この移動の際に過大の遊び（の生成）を回避するため、自由空間（複数）は、軸線方向の寸法が嵌合ロックアーム１１の厚さよりも僅かだけ大きくなるよう構成すると都合がよい。
【００１８】
これに対し、確保部材７が図１の突出状態にある組立前位置から図２〜図４の嵌込状態にある確保位置に移行されない場合、嵌合ロックアーム１１のこの場合比較的大きな予付勢力によって、差込部材１９は、差込側２の方向に（差込方向とは反対の方向に）押し出される。かくして、高い組立確実性が得られる。
【００１９】
図３は、図１及び図２の実施例の斜視図であり、この場合も確保部材は嵌込状態にある確保位置に位置している。図３から明かなとおり、上述の実施例では、カバー部分８の外面（外周面）は、終端フランジ１７と面一に配置されているため、結合ウェブ１８はこの状態では拘束が解除されており、図３に示したように、制御部材１２は、差込側２から離れるよう差込部材１７の差込方向に関しヘッド部分１６の後方に配された中央部分２０の方向に摺動できる。
【００２０】
図４は、図１〜図３の実施例を示すが、制御部材１２は、中央部分２０上にまで摺動されたのち、受容ボデー３から取り外された状態にある。図４から明かなとおり、中央部分２０は、ヘッド部分１６の直径に対しより小さい直径を有し、ヘッド部分１６と中央部分２０との間に半径方向に配向された段差壁部２１が形成されている。更に、図４から分かるとおり、制御部材１２は、結合ウェブ１８に対向する側に、半径方向内方に突出する背壁２２を有する。この背壁２２は、半径方向内方を指向するその端面（先端面）が、段差壁部２１に隣接し中央部分２０のその余の領域に比べて僅かに厚くされた中央部分２０の縁部分に当接するよう構成されている。かくして、一方では制御部材１２は曲げに対して強化されており、他方では制御部材１２は当接位置において受容部材３に遊びなく保持され、他方、制御部材は、中央部分２０の領域に形成されヘッド部分１６との係合が解除される取出位置に移行した後、比較的簡単に受容部材３から取り外すことができる。
【００２１】
更に図４から分かるとおり、制御部材１２が図１の当接位置における予期せぬ回転運動によって受容部材３から取り外される可能性を回避するために、段差壁部２１に隣接するヘッド部分１６のヘッドフランジ２３に、軸線方向に延在し中央部分２０に対し開放した係止切欠部（ノッチ）２４が形成されると共に、側部脚１３、１４の内面に、係止切欠部２４に相補的に形成された係止突起２５が形成されている。
【００２２】
嵌合ロックアーム１１の自由端２６が、受容ボデー３に比し直径が拡大された受容部材１の領域から僅かに突出するよう構成されると都合がよい。かくして、嵌合ロックアーム１１のこの突出している末端部分に嵌合ロックアーム１１の予付勢力に抗して差込側２から離れる方向に軸線方向に力を印加することにより、嵌合ロック突起と嵌合ロック切欠部との間の嵌合が解除され、更に、この嵌合ロック解除力に直角に指向された力をカバー部分８の方向に印加することにより、確保部材７を嵌込状態にある確保位置から突出状態にある組立前位置に移行でき、この状態において、差込部材１９は受容部材１から再び引き抜くことができる。
【００２３】
このように、時間的に前後して別々にそれも異なる方向に力を２回印加することが要求されているため、受容部材１と差込部材１９との間の極めて確実動作性の大きい結合が生成されると同時に、不測の分離も良好に阻止される。
【図面の簡単な説明】
【００２４】
【図１】本発明の継手装置の一実施例の斜視図であり、図示の状態では、確保部材は突出状態にある組立前位置にあり、制御部材は当接位置にある。
【図２】図１の実施例の斜視図であり、図示の状態では、確保部材は嵌込状態にある確保位置にあり、差込部材は受容部材に差込まれている。
【図３】図１及び図２の実施例の斜視図であり、図示の状態では、制御部材は図１の当接位置に対して軸線方向に摺動された位置にある。
【図４】図１〜図３の実施例の斜視図であり、図示の状態では、制御部材は取り外された状態にある。
【符号の説明】
【００２５】
１          受容部材
７          確保部材
１１        嵌合ロックアーム
１３，１４  側部脚
１６        受容部材の部分
１２        制御部材
１６        ヘッド部分
１８        当接部分（結合ウェブ）
１９        差込部材
２０        中央部分
２２        背壁
２４        係止切欠部（ノッチ）
２５        係止突起
【国際調査報告】
2009516138.tif 000007
2009516138.tif 000008
2009516138.tif 000009
2009516138.tif 000010